【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
入力画像を輝度に応じて補正する画像処理装置であって、
前記入力画像の輝度成分を抽出して、輝度画像を作成する輝度抽出手段と、
前記輝度画像を縮小処理して、縮小画像を作成する縮小手段と、
前記縮小画像の低周波成分を取り出して、低周波成分画像を作成する低周波成分取り出し手段と、
前記低周波成分画像を前記輝度画像と同じ解像度まで拡大処理して、拡大画像を作成する拡大手段と、
前記拡大画像に応じて補正係数を算出する補正係数算出手段と、
前記補正係数算出手段で算出された補正係数を用いて前記入力画像の補正処理を行う補正処理手段と
を有し、
前記縮小手段は、前記輝度画像の所定の画素数の画素データで構成される領域に対する縮小処理と、前記所定の画素数に満たない画素数の画素データで構成される領域に対する縮小処理を行い、
前記拡大手段は、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成することを特徴とする画像処理装置。
【請求項２】
前記縮小手段は、複数の縮小率で複数の縮小画像を作成し、
前記低周波成分取り出し手段は、前記複数の縮小画像の低周波成分を取り出して、複数の低周波成分画像を作成し、
前記拡大手段は、前記複数の低周波成分画像を前記輝度画像と同じ解像度まで拡大処理して、複数の拡大画像を作成し、
前記補正係数算出手段は、前記複数の拡大画像に応じて複数の補正係数を算出し、
前記補正処理手段は、前記複数の補正係数を用いて前記入力画像の補正処理を行って、複数の補正画像を作成し、前記複数の補正画像を加算平均することを特徴とする請求項１に記載の画像処理装置。
【請求項３】
入力画像を輝度に応じて補正する画像処理方法であって、
前記入力画像の輝度成分を抽出して、輝度画像を作成する輝度抽出ステップと、
前記輝度画像を縮小処理して、縮小画像を作成する縮小ステップと、
前記縮小画像の低周波成分を取り出して、低周波成分画像を作成する低周波成分取り出しステップと、
前記低周波成分画像を前記輝度画像と同じ解像度まで拡大処理して、拡大画像を作成する拡大ステップと、
前記拡大画像に応じて補正係数を算出する補正係数算出ステップと、
前記補正係数算出ステップで算出された補正係数を用いて前記入力画像の補正処理を行う補正処理ステップと
を有し、
前記縮小ステップは、前記輝度画像の所定の画素数の画素データで構成される領域に対する縮小処理と、前記所定の画素数に満たない画素数の画素データで構成される領域に対する縮小処理を行い、
前記拡大ステップは、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成することを特徴とする画像処理方法。
【請求項４】
前記縮小ステップは、複数の縮小率で複数の縮小画像を作成し、
前記低周波成分取り出しステップは、前記複数の縮小画像の低周波成分を取り出して、複数の低周波成分画像を作成し、
前記拡大ステップは、前記複数の低周波成分画像を前記輝度画像と同じ解像度まで拡大処理して、複数の拡大画像を作成し、
前記補正係数算出ステップは、前記複数の拡大画像に応じて複数の補正係数を算出し、
前記補正処理ステップは、前記複数の補正係数を用いて前記入力画像の補正処理を行って、複数の補正画像を作成し、前記複数の補正画像を加算平均することを特徴とする請求項３に記載の画像処理方法。
【請求項５】
入力画像を輝度に応じて補正する画像処理手順をコンピュータに実行させるためのプログラムであって、
前記入力画像の輝度成分を抽出して、輝度画像を作成する輝度抽出手順と、
前記輝度画像を縮小処理して、縮小画像を作成する縮小手順と、
前記縮小画像の低周波成分を取り出して、低周波成分画像を作成する低周波成分取り出し手順と、
前記低周波成分画像を前記輝度画像と同じ解像度まで拡大処理して、拡大画像を作成する拡大手順と、
前記拡大画像に応じて補正係数を算出する補正係数算出手順と、
前記補正係数算出手順で算出された補正係数を用いて前記入力画像の補正処理を行う補正処理手順と
をコンピュータに実行させ、
前記縮小手順は、前記輝度画像の所定の画素数の画素データで構成される領域に対する縮小処理と、前記所定の画素数に満たない画素数の画素データで構成される領域に対する縮小処理を行い、
前記拡大手順は、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成することを特徴とするプログラム。
【手続補正２】
【補正対象書類名】明細書
【補正対象項目名】００１２
【補正方法】変更
【補正の内容】
【００１２】
本発明の画像処理装置は、入力画像を輝度に応じて補正する画像処理装置であって、前記入力画像の輝度成分を抽出して、輝度画像を作成する輝度抽出手段と、前記輝度画像を縮小処理して、縮小画像を作成する縮小手段と、前記縮小画像の低周波成分を取り出して、低周波成分画像を作成する低周波成分取り出し手段と、前記低周波成分画像を前記輝度画像と同じ解像度まで拡大処理して、拡大画像を作成する拡大手段と、前記拡大画像に応じて補正係数を算出する補正係数算出手段と、前記補正係数算出手段で算出された補正係数を用いて前記入力画像の補正処理を行う補正処理手段とを有し、前記縮小手段は、前記輝度画像の所定の画素数の画素データで構成される領域に対する縮小処理と、前記所定の画素数に満たない画素数の画素データで構成される領域に対する縮小処理を行い、前記拡大手段は、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成する。
【手続補正３】
【補正対象書類名】明細書
【補正対象項目名】００１３
【補正方法】変更
【補正の内容】
【００１３】
本発明の画像処理方法は、入力画像を輝度に応じて補正する画像処理方法であって、前記入力画像の輝度成分を抽出して、輝度画像を作成する輝度抽出ステップと、前記輝度画像を縮小処理して、縮小画像を作成する縮小ステップと、前記縮小画像の低周波成分を取り出して、低周波成分画像を作成する低周波成分取り出しステップと、前記低周波成分画像を前記輝度画像と同じ解像度まで拡大処理して、拡大画像を作成する拡大ステップと、前記拡大画像に応じて補正係数を算出する補正係数算出ステップと、前記補正係数算出ステップで算出された補正係数を用いて前記入力画像の補正処理を行う補正処理ステップとを有し、前記縮小ステップは、前記輝度画像の所定の画素数の画素データで構成される領域に対する縮小処理と、前記所定の画素数に満たない画素数の画素データで構成される領域に対する縮小処理を行い、前記拡大ステップは、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成する。
【手続補正４】
【補正対象書類名】明細書
【補正対象項目名】００１４
【補正方法】変更
【補正の内容】
【００１４】
本発明のプログラムは、入力画像を輝度に応じて補正する画像処理手順をコンピュータに実行させるためのプログラムであって、前記入力画像の輝度成分を抽出して、輝度画像を作成する輝度抽出手順と、前記輝度画像を縮小処理して、縮小画像を作成する縮小手順と、前記縮小画像の低周波成分を取り出して、低周波成分画像を作成する低周波成分取り出し手順と、前記低周波成分画像を前記輝度画像と同じ解像度まで拡大処理して、拡大画像を作成する拡大手順と、前記拡大画像に応じて補正係数を算出する補正係数算出手順と、前記補正係数算出手順で算出された補正係数を用いて前記入力画像の補正処理を行う補正処理手順とをコンピュータに実行させ、前記縮小手順は、前記輝度画像の所定の画素数の画素データで構成される領域に対する縮小処理と、前記所定の画素数に満たない画素数の画素データで構成される領域に対する縮小処理を行い、前記拡大手順は、前記輝度画像と同じ解像度まで拡大処理した前記低周波成分画像の画素データのうち、前記輝度画像の画像領域の外側の画素データを切り捨て、前記輝度画像の画像領域の外側の画素データが切り捨てられた拡大画像を作成する。